(57)【要約】【課題】  墓地、霊園におけるユーザに区画についての概略を認識させ、かつその区画に適合した墓石の販売に誘導することができる表示画面を提供すること。【解決手段】  各霊園毎に用意された霊園・墓石販売画面表示文書１０のテーブル１２の第１列１４の「行」１７a〜１７ｅに対して、リンクボタン１６ａ〜１６ｅが設けられる。リンクボタン１６ａ〜１６ｅは、各「行」の範囲において他の区画との比較において、相対的に大きさ、向きが統一されている。リンクボタン１６ａ〜１６ｅには、その区画に適合した墓石の候補を紹介する表示文書へのリンクが付与されている。【選択図】図２
2010257034.tif 000002
【特許請求の範囲】
【請求項１】
２次元の表示画面を表示する表示装置と、表示画面に表示された文書上の座標を指定するポインタと、選択を決定する入力装置と、ポインタが示す座標を保持する主記憶装置と、演算装置とを備え、前記ポインタが位置付ける座標が前記表示画面のビットマップイメージで表したリンクボタンの表示範囲であって、入力手段に選択が入力されたときに、当該リンクボタンがリンクするアドレス先の表示文書をアクセスする計算機における、霊園・墓石販売画面表示文書において、
前記表示画面に表示される文書は、同一の横方向座標範囲であって、縦の画素数が所定数ずつ増加するように配置された複数の行と、
ある霊園において提供される複数種類の区画の内の縦の大きさが最大の区画（以下、最大区画と称する）を表示するビットマップイメージであって、当該最大区画の縦の長さを前記所定の画素数の範囲の一定値の画素数に設定し、かつ横の長さを縦に対応した比率の画素数に設定され、かつ、その代表座標が前記複数行のうちの１つの行の範囲であって、縦横の画素範囲が当該行の範囲に納まる位置に設定された最大区画リンクボタンと、
当該霊園において提供される他の複数区画を夫々表示する複数のビットマップイメージであって、当該他の夫々の区画を表すビットマップイメージが、縦の長さを前記最大区画に対して設定された一定値の画素数を最大区画の縦の長さに対する当該区画の縦の長さで按分した画素数に設定し、かつ横の長さを縦に対応した比率の画素数に設定されており、その代表座標が前記複数行のうちの他の１つの互いに異なる行の範囲であって、縦横の画素範囲が当該行の範囲に納まる位置に設定された複数の他区画リンクボタンと、
前記最大区画リンクボタンおよび複数の他区画リンクボタンのいずれかに対して、前記ポインタにより位置付けられ、前記入力手段により選択が入力されたときに、夫々墓石セットの候補の表示文書にアクセスするために割り付けられたリンク先アドレスとを有することを特徴とする霊園・墓石販売画面表示文書。
【請求項２】
前記計算機は、複数の霊園に対して夫々作成された請求項１の霊園・墓石販売画面表示文書と、地図上に前記複数の霊園が所在する位置マークを表示し、当該位置マークに対して対応する霊園・墓石販売画面表示文書にリンクが付与された導入表示文書と、霊園・墓石販売画面表示文書の最大区画リンクボタンおよび複数の他区画リンクボタンの夫々に対応して夫々設けられた墓石セットの候補情報を記述した墓石表示書類とを記憶するデータベースを有し、
前記最大区画リンクボタンおよび複数の他区画リンクボタンは、対応する墓石表示書類に対してリンク付けされていることを特徴とする霊園・墓石販売システム。
【請求項３】
複数の霊園に対して夫々作成された請求項１の霊園・墓石販売画面表示文書と、地図上に前記複数の霊園が所在する位置マークを表示し、当該位置マークに対して対応する霊園・墓石販売画面表示文書にリンクが付与された導入表示文書と、霊園・墓石販売画面表示文書の最大区画リンクボタンおよび複数の他区画リンクボタンの夫々に対応して夫々設けられた墓石セットの候補情報を記述した墓石表示書類とを記憶する媒体。
【発明の詳細な説明】
【技術分野】
【０００１】
本発明は、ユーザに対して次の画面に誘導しやすくする計算機における画面表示に係り、特に霊園・墓石販売の画面表示文書、これを利用した霊園・墓石販売システムおよび媒体に関する。
【背景技術】
【０００２】
計算機のウィンドウ・システムにおいて、ＨＴＭＬなどで記述された表示画面には、ユーザを誘導するためのリンクボタンが多数配置される。リンクボタンをユーザがポインタにより選択することで、リンクボタンにリンクが張られたＨＴＭＬ文書が新たに表示画面上に表示される。リンクボタンは、文字やビットマップイメージによる図形で表されている。特に、図形で表す場合は、写真やグラフィック、大きさ等、ユーザが興味を引くような形態で表示される。
【０００３】
ユーザは、マウス等のポインタを利用し、所望のリンクボタンに位置付けた後クリック（マウスのボタンを押下すること）により「選択」を計算機に入力すると、リンクボタンのリンク先のＨＴＭＬ文書がアクセスされ表示される。また、ポインタをリンクボタンに位置付けることにより、画面上に表示されるポインタのマークが変更され、ユーザに対してリンク先へ移動することができる状態にあることが表示される。
【０００４】
例えば、特許文献１においては、オンラインショッピングにおいて奥行き感のある表示を行い、表示画面上方に配置されたリンクボタンは小さく、下方に配置されたリンクボタンは大きく表示する技術が開示されている。
【０００５】
また、特許文献２および３には、墓石の選択をユーザに行わせるために表示画面を利用した墓石の販売システムが開示されている。
【先行技術文献】
【特許文献】
【０００６】
【特許文献１】特開２００１−１９５４９５号公報
【特許文献２】特開２００２−１２３７１０号公報
【特許文献３】特開２００８−３３４００号公報
【発明の概要】
【発明が解決しようとする課題】
【０００７】
特許文献１に示した技術は、遠近感によるリンクボタンの大きさを変えたものであり、３次元的な効果は奏するもののユーザを誘導には適さない。また、特許文献２および３においても、表示画面におけるユーザの誘導についての配慮がされていない。
【０００８】
墓地、霊園においては、区画に分けられた状態で提供される。この区画は、長方形や方形のように矩形の形状であることがほとんどであり、その面積において永代供養料が異なっている。
【０００９】
その面積は、数ｍ２の範囲で提供されるが、一つの霊園においてはその大きさはさらに狭い範囲からの選択となる。ユーザが区画面積を目にしたときに、霊園内においてどのようなイメージとなる区画なのかについて、候補として提示される区画が同じような矩形形状であるために認識しにくいという問題がある。
【００１０】
そこで、本発明の目的は、墓地、霊園におけるユーザに区画についての概略を認識させ、かつその区画に適合した墓石の販売に誘導することができる表示画面を提供することにある。
【課題を解決するための手段】
【００１１】
上記目的を達成するため、本発明は、２次元の表示画面を表示する表示装置と、表示画面に表示された文書上の座標を指定するポインテタと、選択を決定する入力装置と、ポインタが示す座標を保持する主記憶装置と、演算装置とを備え、前記ポインタが指定する座標が前記表示画面のビットマップイメージで表したリンクボタンの表示範囲であって、入力手段に選択が入力されたときに、当該リンクボタンがリンクするアドレス先の表示文書をアクセスする計算機における、霊園・墓石販売画面表示文書において、前記表示画面に表示される文書は、同一の横方向座標範囲であって、縦の画素数が所定数ずつ増加するように配置された複数の行と、ある霊園において提供される複数種類の区画の内の縦の大きさが最大の区画（以下、最大区画と称する）を表示するビットマップイメージであって、当該最大区画の縦の長さを前記所定の画素数の範囲の一定値の画素数に設定し、かつ横の長さを縦に対応した比率の画素数に設定され、かつ、その代表座標が前記複数行のうちの１つの行の範囲であって、縦横の画素範囲が当該行の範囲に納まる位置に設定された最大区画リンクボタンと、当該霊園において提供される他の複数区画を夫々表示する複数のビットマップイメージであって、当該他の夫々の区画を表すビットマップイメージが、縦の長さを前記最大区画に対して設定された一定値の画素数を最大区画の縦の長さに対する当該区画の縦の長さで按分した画素数に設定し、かつ横の長さを縦に対応した比率の画素数に設定されており、その代表座標が前記複数行のうちの他の１つの互いに異なる行の範囲であって、縦横の画素範囲が当該行の範囲に納まる位置に設定された複数の他区画リンクボタンと、前記最大区画リンクボタンおよび複数の他区画リンクボタンに対して、前記ポインタで指定され、前記入力手段により選択が入力されたときに、夫々墓石セットの候補表示文書にアクセスするために割り付けられたリンク先アドレスとを有することを特徴とする。
【図面の簡単な説明】
【００１２】
【図１】霊園・墓石販売システムを示す図である。
【図２】霊園・墓石販売画面表示文書の構成図である。
【図３】ボタン候補を示す図である。
【図４】登録画面１００を示す図である。
【図５】登録画面１００の登録プログラムフローを示す図である。
【図６】閲覧プログラムのフローを示す図である。
【図７】霊園・墓石販売システムの表示画面を示す図である。
【図８】墓石セット候補表示文書５０を示す図である。
【発明を実施するための形態】
【００１３】
以下、本発明の一実施例を説明する。
図１において、標準的な計算機（パソコン）のシステム構成を示したものである。１はＣＰＵ、２は主記憶、３はテータベースを記憶する外部記憶装置（ＨＤＤ、ＣＤＤ、ＤＶＤ）、４は表示画面５を提供する表示装置、６は表示画面５に対応したビットマップイメージデータを記憶して表示装置４へ送る表示記憶、７はキーボード、８はポインタとしてのマウス、９は外部ネットワークへ接続するネットワークインターフェイスコントローラ（ＮＩＣ）である。この標準的な計算機を用いて、霊園・墓石販売システムが実現される。
【００１４】
外部記憶装置３には、本実施例による霊園・墓石販売画面表示文書１０のほか、後述する初期表示文書３０、導入表示文書４０および墓石セット候補表示文書５０が記憶されている。これらの文書は、ＣＤやＤＶＤ等の媒体により提供しても良いし、ＮＩＣ９を経由して外部ネットワークから提供されても良い。
【００１５】
主記憶２には本実施例による霊園・墓石販売画面表示文書１０を表すＨＴＭＬ文書が外部記憶３から読み出されて記憶されており、イメージデータに変換され表示記憶６に記憶され、表示画面５に表示されている。主記憶２に記憶される霊園・墓石販売画面表示文書にはこれから説明するリンクボタンの代表座標、ビットマップ、リンク先アドレスが多数保持されている。主記憶２にはさらに、ポインタ８が指し示す表示画面５上の座標を保持するポインタ座標レジスタ２１及び、閲覧プログラム２２が格納されている。レジスタ２１には、現時点でのポインタの座標が絶え間なく更新されている。
【００１６】
図２は、本実施例による霊園・墓石販売画面表示文書１０が表示画面上に表示された状態を示すものである。各墓地、霊園（以下、まとめて霊園と称する）では、あらかじめ決まった形状、面積で区画を提供している。本実施例では、０．６ｍ２から３．０ｍ２の区画を提供している。これらの区画は、正方形、長方形の形状をしており、長方形の場合には、図面において下側の長辺又は短辺が霊園内の歩道に面するという具合にその向きを有している。
【００１７】
これらの区画は、一般の住居における敷地などの不動産とは異なり、土地の形状は矩形状に統一されている。しかし、霊園の立地により、区画の大きさは様々であり、ある霊園では、やや狭い区画の種類（０．４２ｍ２〜１．０ｍ２）の範囲であり、他の霊園では広い区画の種類（例えば、１．０ｍ２〜４．０ｍ２）の範囲となっている。
【００１８】
図２において、霊園名を表示するタイトル部分１１、永代使用権の値段を表示するテーブル部分１２、および霊園の場所、宗旨、規模等の概要情報１３が示されている。また、ポインタ８により現時点で指示している位置が矢印マーク８１により表示されている。
【００１９】
表示画面の横、縦の座標位置を夫々、ｘ、ｙで示す。霊園・墓石販売画面表示文書１０は、表示記憶６内の任意の場所に位置されるが、霊園・墓石販売画面表示文書１０の左上端の位置を、図中では原点座標とし（０、０）としている。ここにおいて、テーブル１２には、第１列１４にリンクボタン１６ａ〜１６ｅが表示され、第２列１５に値段が表示されている。リンクボタン１６ａ〜１６ｅは図中破線で示された範囲内のビットマップであり、第１列の各「行」１７ａ〜１７ｅに１つずつ配置される。リンクボタン１６ａ〜１６ｅに対しては区画の範囲が着色され、面積（たとえば「０．６ｍ２」）が数値表記されたビットマップが貼り付けられている。各リンクボタン１６ａ〜１６ｅは、右上の画素位置（ｘ２１、ｙ２１）〜（ｘ２５、ｙ２５）を代表座標として、ｘ方向、ｙ方向の画素数によりサイズが決められている。
【００２０】
テーブル１４の第１カラム１４と「行」１７ａ〜１７ｅとで規定されるセルの左上座標は（ｘ１、ｙ１）〜（ｘ１、ｙ９）であり、ｘ方向の値はｘ１であり共通であって、ｙ方向の座標は「行」の高さ分増加する値となっている。右下座標も同様、ｘ方向の値はｘ２であり共通であって、ｙ方向の座標は「行」の高さ分増加する値となっている。
【００２１】
各セルは、ｘ方向の画素数がＨであり、ｙ方向の画素数はＶである。表示記憶６上では、各ローは画素数Ｖずつずれた位置に配置されている。このセルの範囲内にリンクボタン１６ａ〜１６ｅの代表座標が夫々配置される。例えば、リンクボタン１６ａに着目すると、第１カラム１４とロー１７ａで規定されるセルに配置されている。また、リンクボタン１６ａ〜１６ｅはビットマップイメージであるので、各セルにおける画素数ＶとＨで囲まれた矩形の範囲内にリンクボタンのビットマップイメージが割り当てられる。
【００２２】
このような、霊園・墓石販売画面表示文書１０は、各霊園毎に用意される。ここにおいて、各霊園毎に用意された霊園・墓石販売画面表示文書１０のテーブル１２の各「行」１７ａ〜１７ｅは、そのｘ方向の画素数が一定値Ｖとなるように配置される。一方で、区画の最大面積は、各霊園でばらついているので、リンクボタンは、各セルの範囲において、同じ霊園内での他の区画との比較において、相対的に大きさ、向きが統一されている。例えば、０．６ｍ２区画に対して、２倍の面積を持つ区画と区画がどのような印象を持つのか、リンクボタンの形状によりユーザは第一印象を持つことができる。
【００２３】
ユーザを区画の大きさで引き付けたときに、ポインタがそのまま表示された区画（リンクボタン）を選択することにより、次のリンク先に誘導することができる。ユーザが区画を選定する際には、１つの霊園内における区画の大きさ向きに関心があることから、本実施例においては、霊園内の区画の相対比較をリンクボタンとしているのである。
【００２４】
図３は、ボタン候補を定義する表を示している。ボタン候補は予め、縦横の画素数が様々なものが定められているが、縦の画素数は大きくてもテーブル１２のセルの範囲内（Ｖ×Ｈ）のものに設定されており、サイズに示す欄に縦横の画素数が設定されている。
【００２５】
図４はリンクボタンの登録画面１００を示すものであり、図５は登録画面１００を処理するプログラムのフローである。登録画面１００を処理するプログラムは、図１に示したような標準的なシステム構成の計算機により実行される。
【００２６】
登録画面１００は、霊園毎に入力する形式となっている。まず、ステップ１において図２の入力ボックス１０１を入力可能として、霊園名を入力するように操作者を促す。次に、区画を入力させる（ステップ２）。ここにおいて、操作者は、ポインタにより入力する行１０２をポインタにより選択する。登録画面１００には、１０２ａ〜１０２ｄに示すように行が多数用意されている。選択された行１０２ａは図中選択色となっている。ここに区画の縦横の長さを欄１０４、１０５に入力する。当該霊園における全ての区画の縦横長さを入力し終わると、「ボタン選択」のボタン１０３を押す。プログラムは、ボタン選択が選定されると、縦の長さがもっとも大きい区画を選択する（ステップ４）。そして、これと縦横の比率が相似して、かつ最も大きな面積をもつボタン候補を図３の表から選択し、ボタン種別の欄１０６に表示する。
【００２７】
この最も大きな面積をもつボタン候補により、他の区画に割り当てるボタン候補のも数１により決定される。これは、最大区画の縦および横の長さに対する、他の区画の縦および横の長さの比率を夫々計算し（ステップ５）、最も大きな面積をもつボタン候補の縦横の画素数を按分する（ステップ６）。
【００２８】
【数１】
2010257034.tif 000003
【００２９】
例えば、本実施例では、３．０ｍ２（２ｍ×１．５ｍ）の区画が最も大きな区画であり、この区画に対して選択されたボタン候補が縦横３６×２４のビットマップを有している場合には、２．０ｍ２の（１．６ｍ×１．３ｍ）区画は、２９×２１と同じ或いはこれに最も近いビットマップのボタン候補が選択される。
【００３０】
このように、当該区画の縦横長さと最も大きな区画の縦横と長さの比率により、他の区画についてのビットマップの大きさが定められる。
【００３１】
操作者は、ボタンに貼り付けるビットマップを選択する。プログラムは、操作者がポインタで行（例えば１０２ａ）を選択すると、この行に割り当てられたボタン候補を実際の大きさでウィンドウ１０８に破線１０９で表示し、ビットマップ選択のボックスを入力可能状態とする（ステップ７）。操作者がＢＭＰ、ＪＰＥＧ等で表記された区画の画像ファイルを選択すると、プログラムは、点線の範囲１０９内に重なるように、画像ファイル１１０を縮小（あるいは拡大）してボタン候補に貼り付ける。なお、画像ファイル１１０の縦横の画素数は、１１１に示すように登録画面上「３６×２４」で示されている。操作者が、縦横の数値を変更するとプログラムは、貼り付けられた画像ファイルの縦横の画素数を変更する。
【００３２】
プログラムは、文字入力ボックス１１２に文字が入力された際には縮小されたビットマップ形式の文字として画像ファイル１１０に重ねて貼り付けてウィンドウ１０８に表示する。
【００３３】
編集が終わり、操作者により登録ボタン１１３が選択されると、プログラムは作成されたビットマップに対して、霊園名と項番で規定されるＩＤを付与する（ステップ８）。このように作成されたビットマップとそれに付与されたＩＤが霊園・墓石販売画面表示文書１０におけるリンクボタンとなる。ここで、ステップ４において、選定された縦の長さがもっとも大きい区画に対応して選択されたリンクボタンを「最大区画リンクボタン」と称し、これ以外を「他区画リンクボタン」と称する。
【００３４】
図２に戻り、霊園・墓石販売画面表示文書には、テーブル１２の第１列が複数「行」を持つものとなっており、図５のプログラムで作成されたリンクボタンが各セルに貼り付けられる。この際、例えばリンクボタン１６ｅの左上のアドレスは、第１カラム、第１「行」のセルの左上、右下を規定する座標（ｘ１、ｙ１）、（ｘ２、ｙ２）の範囲内であって、リンクボタン１６ｅを規定するビットマップがその範囲に入るように位置される。ここにおいて、リンクボタンは、各「行」の画素数よりも小さく縦方向の画素数が決められているので、セルの中に収めることができる。なお、最近の表示装置はＸＧＡ、ＷＸＧＡなど他の表示画素数ともに横長の画面が用いられており、ｘ方向にはセルは十分な長さを取れるので、本実施例においては考慮しなくて良い。各リンクボタンには、リンク先のアドレスが関連付けられる。
【００３５】
次に、霊園・墓石販売画面表示文書のパソコン上の動作を説明する。
図６は、標準的な閲覧プログラムを示したものである。閲覧プログラムは、オペレーティングシステムと協働して、霊園・墓石販売画面表示文書からビットマップイメージデータを作成して表示記憶６に格納する。この際、表示記憶６に格納される霊園・墓石販売画面表示文書のビットマップイメージは、リンクボタン１６ａ〜１６ｅは、第１列の各「行」１７ａ〜１７ｅのセルに１つずつ配置されたものとなる。閲覧プログラムは、レジスタ部からポインタの座標を入手し、各リンクボタンの代表座標におけるリンクボタンの大きさの範囲にポインタが位置しているかを判定する（ステップ１１）。リンクボタンのビットマップ内に位置している場合には、表示画面上でのポインタの矢印マーク（例えば、図２の８１）の形状を別の形状に変化させて、ポインタがリンクボタンに重なっていることをユーザに知らせる（ステップ１２）。
【００３６】
ユーザが、マウスをクリックしてリンクボタンを選択すると（ステップ１３）、当該選択されたリンクボタンに割りつけられているリンク先アドレスのＨＴＭＬ文書を読み出す（ステップ１４）。以上のような、閲覧プログラムの動作自体は、標準的なものである。
【００３７】
霊園・墓石販売画面表示文書１０を利用した図１の霊園・墓石販売システムは、図７に示すような表示を行いユーザを誘導する。本霊園・墓石販売システムは、都道府県に跨って霊園を紹介し、合わせて墓石の販売へ結びつけるものである。霊園・墓石販売画面表示文書１０は、都道府県の中の１つの地域にある１つの霊園での区画が示されているものであって、霊園・墓石販売画面表示文書１０は他の霊園に対してテーブル１２の同様の形式で用意されている。
【００３８】
３０は表示画面上の初期画面であり、日本地図から各地域への地図画面へ移動できるように、各県にリンクが設けられている。４０はある地域（実施例では県単位）の地図を表示した導入表示文書であり、霊園の所在位置を点４１で示している。この点４１が、霊園・墓石販売画面表示文書１０へリンクしている。なお、点４１から霊園・墓石販売画面表示文書１０へ直接リンクしても良いが、一旦、霊園の写真や風景などの紹介記事を記述した表示文書を挟んでからリンクをさせても良い。
【００３９】
霊園・墓石販売画面表示文書１０では、先に述べたようなリンクボタンによる区画の相対比較がユーザに行われ、興味を引いたリンクボタンが選択されることにより、図８に示すような墓石セットの紹介する墓石セット候補表示文書５０に移動して表示装置４に表示する。
【００４０】
墓石セット候補表示文書５０は、区画の大きさに対応した墓石セットが数例紹介されており、ユーザは墓石セットの選択の幅を区画により絞り込むことができる。墓石の紹介画面は、霊園の区画毎に用意される。
【００４１】
上記実施例においては、「他区画リンクボタン」を登録する際のボタン候補の選定において、数１において切り上げを適用したが、数画素程度の相違ならば、他の区画との相対比較に影響を与えないので、これを許容するものとしても良い。
【符号の説明】
【００４２】
１  ＣＰＵ
２  主記憶
３  外部記憶装置
４  表示装置
６  表示記憶
８  ポインタ
１０  霊園・墓石販売画面表示文書
１６  リンクボタン
【図１】
2010257034.tif 000004
【図２】
2010257034.tif 000005
【図３】
2010257034.tif 000006
【図４】
2010257034.tif 000007
【図５】
2010257034.tif 000008
【図６】
2010257034.tif 000009
【図７】
2010257034.tif 000010
【図８】
2010257034.tif 000011